(57)【特許請求の範囲】
【請求項１】
第１方向に開放された複数の空洞が形成されたハウジングと、
前記複数の空洞内に各々収容される複数の共振器と、
前記複数の空洞のうちの第１空洞と第２空洞との間の開口部を通過するように配置され、前記第１空洞内の第１共振器と前記第２空洞内の第２共振器との間に介在するカップリング部材と、を有し、
前記カップリング部材は、第１延長部及び第２延長部を含み、
前記第１延長部は、前記第２共振器よりも前記第１共振器に近接して前記第１方向に対して前記ハウジングの一側に向かって延長され、
前記第２延長部は、前記第１共振器よりも前記第２共振器に近接して前記第１方向に対して前記ハウジングの一側に対向する前記ハウジングの他側に向かって延長され、
前記第１延長部は、前記第２共振器に向かう方向に沿って延長される第１縦支持部及び前記第１縦支持部から前記開口部の幅方向に対応する第２方向に沿って延長される第１横支持部を含むことを特徴とする空洞フィルタ。
【請求項２】
前記第２延長部は、前記第１共振器に向かう方向に沿って延長される第２縦支持部及び前記第２縦支持部から前記第２方向に沿って延長される第２横支持部を含み、
前記第１横支持部及び前記第２横支持部は、互いに反対方向に延長されることを特徴とする請求項１に記載の空洞フィルタ。
【請求項３】
前記第１横支持部及び前記第２横支持部のうちの少なくとも一つは、前記第１方向に対して前記ハウジングの一側又は他側に結合されることを特徴とする請求項２に記載の空洞フィルタ。
【請求項４】
前記第１横支持部及び前記第２横支持部のうちの少なくとも一つは、前記第２方向に対して前記ハウジングの一側又は他側に結合されることを特徴とする請求項２に記載の空洞フィルタ。
【請求項５】
前記ハウジングは、前記第２方向に対して一側又は他側に前記第１横支持部又は第２横支持部を収容するように陥入された収容溝、又は前記第１横支持部又は第２横支持部を支持するように突出したポストを含むことを特徴とする請求項２に記載の空洞フィルタ。
【請求項６】
前記第１縦支持部は、前記第１方向に対して前記開口部の一側に結合され、
前記第２縦支持部は、前記第１方向に対して前記開口部の他側に結合されることを特徴とする請求項２に記載の空洞フィルタ。
【請求項７】
前記第１方向で前記ハウジングに結合されるカバーを更に含み、
前記カップリング部材は、その一端が前記カバーに結合され、その他端が前記ハウジングに結合されることを特徴とする請求項１に記載の空洞フィルタ。
【発明の詳細な説明】
【技術分野】
【０００１】
本発明は、ＲＦ（高周波）空洞（キャビティ）フィルタに関するものであって、より詳細には、クロスカップリングを利用する空洞フィルタに関するものである。
【背景技術】
【０００２】
フィルタは、特定の周波数帯域の信号のみを通過させる役割をする装置であって、帯域通過特性によってローパスフィルタ、バンドパスフィルタ、ハイパスフィルタ、バンドストップフィルタ等に区分される。また、フィルタの構造によって集中回路フィルタ、セラミックフィルタ、空洞フィルタ等に区分される。
【０００３】
フィルタは、インダクタンスとキャパシタンスとの組み合わせによる共振を利用して特定の周波数信号をフィルタリングし、インダクタンスとキャパシタンスとの連結形態によって帯域通過特性が決まる。
【０００４】
フィルタは二つの重要な特性を有している。一つは挿入損失であり、もう一つはスカート特性である。挿入損失は、入力された電力が全て出力されず、損失される特性を意味し、スカート特性は、帯域通過特性曲線がどれだけ急峻であるかに関する特性である。このような挿入損失とスカート特性は、主にフィルタの次数と関連しており、フィルタの次数が高いほどスカート特性は良くなるが、挿入損失は悪くなり、互いにトレードオフの関係にある。
【０００５】
一方、移動通信システムの基地局においては、特性信号の帯域通過及び遅延のために多数の空洞（キャビティ）が形成されて各空洞に共振器が収容される空洞フィルタがよく利用されている。
【０００６】
ＲＦフィルタの技術傾向として、最近になって基地局事業者のフィルタの小型化の要求が日々増えている状況にある。フィルタの小型化技術は多様であるが、代表的にマクロセル（ｍａｃｒｏ  ｃｅｌｌ）フィルタの場合、薄型化が容易なＴＭモードフィルタに対する研究が活発に進められている。スモールセル（ｓｍａｌｌ  ｃｅｌｌ）フィルタの場合、小型サイズの具現がより重要な要素として考えられ、このためにセラミック材質が適用された小型同軸共振器が利用される。
【０００７】
この二つの技術の類似点は、共振モードであり、セラミック材質が適用された同軸共振器のヘッド（ｈｅａｄ）部分において、Ｅ−フィールド（電界）は、既存のＴＥＭモードとは異なり、水平（ｔｒａｎｓｖｅｒｓｅ）成分よりは垂直（ｌｏｎｇｉｔｕｄｉｎａｌ）成分が優勢であって、ＴＭモードと類似のＱｕａｓｉ−ＴＭモードフィールド分布を有する。
【０００８】
一般的に、ＢＰＦ（バンドパスフィルタ）の減衰特性の改善のためには伝送零点の適用が必須であり、主に隣接していない共振器の間にクロスカップリング（ｃｒｏｓｓ−ｃｏｕｐｌｉｎｇ）を適用して具現する。誘導性（ｉｎｄｕｃｔｉｖｅ）クロスカップリングは、二つの共振器の間の開口部又はウィンドウによって具現可能であるが、容量性（ｃａｐａｃｉｔｉｖｅ）クロスカップリングは、負性（ｎｅｇａｔｉｖｅ）カップリングの具現のためにカップリング部材のような追加構造物が必要である。カップリング部材は二つの共振器の水平方向Ｅ−フィールドをギャップカップリング（ｇａｐ  ｃｏｕｐｌｉｎｇ）させてキャパシタンス値を増やす構造である。
【０００９】
しかし、ＴＭモード共振器におけるＴＭモード及びセラミック材質が適用された共振器におけるＱｕａｓｉ−ＴＭモードは、水平方向Ｅ−フィールドより垂直方向Ｅ−フィールド成分が優勢であるため、水平方向Ｅ−フィールド成分が必要なカップリング部材のような構造物で容量性クロスカップリングを具現するには限界がある。
【先行技術文献】
【特許文献】
【００１０】
【特許文献１】特開平８−２９３７０３号公報
【発明の概要】
【発明が解決しようとする課題】
【００１１】
本発明は、上記従来の問題点に鑑みてなされたものであって、本発明の目的は、共振器間に大きな容量性クロスカップリングを有する空洞フィルタを提供することにある。
【課題を解決するための手段】
【００１２】
上記目的を達成するためになされた本発明の一態様による空洞フィルタは、第１方向に開放された複数の空洞が形成されたハウジングと、前記複数の空洞内に各々収容される複数の共振器と、前記複数の空洞のうちの第１空洞と第２空洞との間の開口部を通過するように配置され、前記第１空洞内の第１共振器と前記第２空洞内の第２共振器との間に介在するカップリング部材を含み、前記カップリング部材は、第１延長部及び第２延長部を含み、前記第１延長部は、前記第２共振器よりも前記第１共振器に近接して前記第１方向に対して前記ハウジングの一側に向かって延長され、前記第２延長部は、前記第１共振器よりも前記第２共振器に近接して前記第１方向に対して前記ハウジングの一側に対向する前記ハウジングの他側に向かって延長される。
【００１３】
前記第１延長部は、前記第２共振器に向かう方向に沿って延長される縦支持部を含み得る。
前記第１延長部は、前記開口部の幅方向に対応する第２方向に沿って前記縦支持部から延長される横支持部を含み得る。
前記第１延長部は、前記開口部の幅方向に対応する第２方向に沿って延長される横支持部を含み得る。
前記第１延長部は、前記第２方向に沿って延長される第１横支持部を含み、前記第２延長部は、前記第２方向に沿って延長される第２横支持部を含み、前記第１横支持部及び前記第２横支持部は、互いに反対方向に延長され得る。
前記第１横支持部及び前記第２横支持部のうちの少なくとも一つは、前記第１方向に対して前記ハウジングの一側又は他側に結合され得る。
前記第１横支持部及び前記第２横支持部のうちの少なくとも一つは、前記第２方向に対して前記ハウジングの一側又は他側に結合され得る。
前記ハウジングは、前記第２方向に対して一側又は他側に前記横支持部を収容するように陥入された収容溝又は前記横支持部を支持するように突出したポストを含み得る。
前記第１延長部は、前記第２共振器に向かう方向に沿って延長される第１縦支持部を含み、前記第２延長部は、前記第１共振器に向かう方向に沿って延長される第２縦支持部を含み、前記第１縦支持部は、前記第１方向に対して前記開口部の一側に結合され、前記第２縦支持部は、前記第１方向に対して前記開口部の他側に結合され得る。
前記空洞フィルタは、前記第１方向で前記ハウジングに結合されるカバーを更に含み、前記カップリング部材は、その一端が前記カバーに結合され、その他端が前記ハウジングに結合され得る。
【００１４】
上記目的を達成するためになされた本発明の一態様による空洞フィルタ用カップリング部材は、第１方向に開放された複数の空洞が形成されたハウジング及び前記複数の空洞内に各々収容される複数の共振器を含む空洞フィルタのためのカップリング部材であって、前記複数の共振器のうちの第２共振器よりも第１共振器に近接して前記第１方向に対して前記ハウジングの一側に向かって延長される第１延長部と、前記第１共振器よりも前記第２共振器に近接して前記第１方向に対して前記ハウジングの一側に対向する前記ハウジングの他側に向かって延長される第２延長部と、を有し、前記カップリング部材は、前記複数の空洞のうちの前記第１共振器を収容する第１空洞と前記第２共振器を収容する第２空洞との間の開口部を通過するように配置され、前記第１空洞内の第１共振器と前記第２空洞内の第２共振器との間に介在する。
【発明の効果】
【００１５】
本発明の空洞フィルタ及びカップリング部材によると、小型化された構造を有しながらも共振器間に大きな容量性クロスカップリングを提供することができる。
また、二つの共振器の間に大きな容量性クロスカップリングを提供しながらも、組み立てが容易である。
【図面の簡単な説明】
【００１６】
【図１】本発明の一実施形態によるクロスカップリングのためのカップリング部材が適用された３ポール構造の空洞フィルタを概念的に示す平面図である。
【図２】本発明の一実施形態による空洞フィルタの空洞のうちの一つに対するＥ−フィールド及びＨ−フィールドの分布を概念的に示す断面図である。
【図３】本発明の一実施形態による空洞フィルタに適用可能なカップリング部材及びこれによるＥ−フィールド及びＨ−フィールドの分布を概念的に示す断面図である。
【図４】本発明の一実施形態による空洞フィルタ及びカップリング部材を概念的に示す図である。
【図５】図４に示した空洞フィルタにおけるＨ−フィールドの分布を概念的に示す図である。
【図６】本発明の一実施形態による空洞フィルタによって具現されたＢＰＦ特性を示すグラフである。
【発明を実施するための形態】
【００１７】
以下、本発明を実施するための形態の具体例を、図面を参照しながら詳細に説明する。しかし、これは本発明を特定の実施形態に限定しようとするものではなく、本発明の思想及び技術範囲に含まれる全ての変更、均等物乃至代替物を含むものとして理解しなければならない。各図面を説明しながら同一の参照符号を同一の構成要素に対して使用する。
【００１８】
第１、第２などの用語を、多様な構成要素を説明するために用いるが、構成要素は用語によって限定されない。用語は一構成要素を他の構成要素から区別する目的のみに用いる。例えば、本発明の権利範囲から逸脱しない範囲で第１構成要素を第２構成要素と命名する。同様に第２構成要素も第１構成要素と命名する。
【００１９】
図１は、本発明の一実施形態によるクロスカップリングのためのカップリング部材が適用された３ポール構造の空洞フィルタを概念的に示す平面図である。
【００２０】
図１には各々の空洞１００のみを表現しているが、このような空洞１００を定義するハウジング１０内に空洞１００が形成されることは当業者に自明である。
【００２１】
ハウジング１０は、フィルタの本体として機能し、ハウジング１０の内部には多数の空洞１００が形成される。図１には、３つの空洞１００が形成された例を示しているが、空洞１００の数は、必要に応じて変更される。各々の空洞１００には、共振器２００が設置される。
【００２２】
ハウジング１０は、アルミニウム材質をベースにして、その上に銀メッキ処理が行われる。銀メッキは、高い電気伝導度を確保するために行われ、銀メッキ以外にも銅メッキ処理されたハウジング１０が使用される。
【００２３】
ハウジング１０は、第１方向に開放され、各空洞１００が第１方向に開放された形態を有する。これは、各空洞１００内に共振器２００及びカップリング部材３００などの設置を容易にする。開放された第１方向でカバー５０をハウジング１０に結合させる。
【００２４】
カバー５０は、ハウジング１０の開放された一面に、例えばハウジング１０の上部に結合され、ハウジング１０の上部に結合されてハウジング１０の遮蔽構造を形成する。カバー５０が結合されることにより、フィルタの内部は、電磁波を遮蔽する構造となる。カバー５０も、アルミニウムでベース構造を形成した後、ベース構造に銀メッキ処理を行う。
【００２５】
カバー５０とハウジング１０は、多様な結合方式を利用して結合され。一例として、カバー５０は、多数のボルトを利用してハウジング１０に結合され、またソルダリングを利用してハウジング１０に結合される。
【００２６】
本実施形態によると、各共振器２００は、誘電体の材質からなり、一例としてセラミック材質からなる。誘電体で形成された共振器２００が空洞１００の内部に収容される際に、各空洞１００における共振はＴＭモードで行われる。
【００２７】
共振器２００は、円筒形状を有し、円筒の少なくとも一部には溝又は穴が形成される。勿論、必要に応じて、ディスク形状の共振器が使用され、また公知の多様な形状の誘電体共振器が本発明に適用可能である。共振器２００は、ボルト等を利用して空洞１００の底部に結合される。
【００２８】
勿論、誘電体以外の多様な材質で共振器２００を形成することもできる。例えば、同軸共振器及びその上部に結合されたセラミックヘッドで共振器２００が具現される。
【００２９】
図１は、クロスカップリングが適用された３ポールフィルタの構造を概念的に示したものである。伝送零点を通過帯域（ｐａｓｓｂａｎｄ）の上側に具現するためには第１共振器２０１と第２共振器２０２との間に誘導性（ｉｎｄｕｃｔｉｖｅ）クロスカップリングを適用する。これは開口部又はウィンドウで具現される。伝送零点を通過帯域の下側に具現するためには第１共振器２０１と第２共振器２０２との間に容量性（ｃａｐａｃｉｔｉｖｅ）クロスカップリングを適用する。これはカップリング部材などで具現される。
【００３０】
図２は、本発明の一実施形態による空洞フィルタの空洞のうちの一つに対するＥ−フィールド及びＨ−フィールドの分布を概念的に示す断面図であり、図３は、本発明の一実施形態による空洞フィルタに適用可能なカップリング部材及びこれによるＥ−フィールド及びＨ−フィールドの分布を概念的に示す断面図である。
【００３１】
上述したように、共振器２００は、円筒形状を有し、カバー５０には、フィルタ特性のチューニングのためのチューニングボルト５５が結合されて空洞１００の内部に挿入される。図２に示すようにチューニングボルト５５が共振器２００の円筒形空間の内部に挿入される。
【００３２】
フィルタのハウジング１０及びカバー５０は電気的に接地電位を有し、所望の電気的特性を確保して共振器２００の強固な結合のために、共振器２００はカバー５０と強固に密着する必要がある。従って、強固な密着のための圧力を提供する加圧部材５７等を含む。
【００３３】
図２を参照すると、共振器２００の上側部位においては、水平Ｅ−フィールド成分より垂直Ｅ−フィールド成分が優勢であって容量性カップリング具現に制約がある。しかし、図３に示すように、第１共振器２０１と第２共振器２０２との間にカップリング部材３００を利用すると、強いクロスカップリングが具現される。
【００３４】
図３は、ＴＭモード共振器間に適用されたカップリングループのタイプによるＥ−フィールド（電界）、Ｈ−フィールド（磁界）、及び誘導された電流の分布を示す。図３の右側の図の場合、各々の共振器によって誘導された電流の方向が同一であってカップリング符号が正（＋）であり、これは誘導性カップリングである。図３の左側の図の場合、カップリング部材が空洞１００の下面と上面に（即ち、ハウジング１０の下面とカバー５０の下面に）連結され、これにより各々の共振器における誘導電流方向が逆になることが分かる。ここでのカップリング符号は、負（−）であって容量性カップリングである。即ち、従来のようにカップリング部材を通じてＥ−フィールドをギャップカップリングさせずに、Ｈ−フィールドをカップリングさせて容量性カップリングを具現する。このようなメカニズムは、セラミックヘッドが適用された同軸共振器にも適用される。
【００３５】
図４は、本発明の一実施形態による空洞フィルタ及びカップリング部材を概念的に示す図である。
【００３６】
図３の左側に示した例では、カップリング部材３００は空洞１００の下面と上面に連結されるべきである。空洞フィルタがハウジング１０とカバー５０の結合で構成される場合、比較的に小さな厚さを有するカップリング部材３００を安定的にカバー５０と結合させることが容易でない場合があり、カップリング部材３００を正しい姿勢に整列させることも困難になることがある。一方、カバー５０を使用していないため空洞１００の上面が分離されない構造では、空洞１００内にカップリング部材３００を設置すること自体に面倒な作業が伴うことがある。
【００３７】
これを勘案して、本実施形態では、カップリング部材３００をハウジング１０及びカバー５０に結合する工程を容易にするようにカップリング部材３００を構成する。
【００３８】
図４の（ａ）は、本実施形態による空洞フィルタを概念的に表現した断面図であって、カバー５０が省略された形態を図示している。図４の（ｂ）は、クロスカップリングを具現する第１共振器２０１と第２共振器２０２との間にカップリング部材３００が配置される形態を概念的に表現した斜視図である。図４の（ｃ）は、第１共振器２０１が収容された第１空洞１０１と第２共振器２０２が収容された第２空洞１０２との間にカップリング部材３００が配置される形態を概念的に表現した斜視図であり、図４の（ｄ）は、カップリング部材３００を拡大して示した斜視図である。
【００３９】
図４を参照すると、カップリング部材３００は、第１共振器２０１に近接して配置される第１延長部３１０、第２共振器２０２に近接して配置される第２延長部３２０、そして第１延長部３１０と第２延長部３２０を連結する中間支持部３５０を含む。
【００４０】
図４に示したように、第１延長部３１０は、第１共振器２０１に隣接した位置から第１方向に沿ってハウジング１０の一側（ハウジング１０の上部）に向かって延長されて、第１延長部３１０の端部から再び第２共振器２０２に向かう方向に沿って延長される第１縦支持部３１５を含む。
【００４１】
これと同様に、第２延長部３２０は、第２共振器２０２に隣接した位置から第１方向に沿ってハウジング１０の他側（ハウジング１０の下部）に向かって延長され、第２延長部３２０の端部から再び第１共振器２０１に向かう方向に沿って延長される第２縦支持部３２５を含む。結果的に、カップリング部材３００は、「己」字と類似した形状で具現される。
【００４２】
本明細書では、説明の便宜のために、「第１方向」、「第２方向」、及び「第３方向」という用語を使用する。第１方向は、ハウジング１０においてカバー５０が装着されていない時に第１空洞１０１と第２空洞１０２を含む各々の空洞１００が開放される方向であって、第１及び第２共振器（２０１、２０２）の長さ方向及び第１共振器２０１と第２共振器２０２との間の開口部１０５の長さ方向に対応する方向を指す。第２方向は、開口部１０５の幅方向に対応する方向を指す。第３方向は、第１共振器２０１から第２共振器２０２に向かう方向を指す。第１方向、第２方向、及び第３方向は互いに直交するが、必ずしもそうではない。
【００４３】
カップリング部材３００が所定の幅を有するように構成された場合、カップリング部材３００が第１及び第２縦支持部（３１５、３２５）を有することにより、より安定的に配置される。第１及び第２縦支持部（３１５、３２５）は、第１及び第２共振器（２０１、２０２）の間の開口部１０５を通過するように配置され、ハウジング１０内でハウジング１０の下面及びカバー５０の下面にそれぞれ接触する。これは、カップリング部材３００が構造的により安定するようにし、またハウジング１０とより安定的な電気的連結を維持するようにする。
【００４４】
第１及び第２縦支持部（３１５、３２５）は、図４の（ａ）に示した例のように同じ長さに延長される。後述する横支持部（３１７、３２７）がない実施形態では、このように第１及び第２縦支持部（３１５、３２５）に形成された締結部３７０が第１方向に沿って一直線上に位置する。勿論、本発明はこれに限定されるものではなく、第１及び第２縦支持部（３１５、３２５）の延長の長さがより長いことも、より短いこともあり、第１及び第２縦支持部（３１５、３２５）の延長の長さが互いに異なることもあり、第１延長部３１０及び第２延長部３２０のいずれか一つだけが縦支持部を含むこともある。
【００４５】
第１延長部３１０は、また第１縦支持部３１５から第２方向に沿って延長される第１横支持部３１７を含む。これと同様に、第２延長部３２０は、第２縦支持部３２５から第２方向に沿って延長される第２横支持部３２７を含む。第１及び第２横支持部（３１７、３２７）は、カップリング部材３００とハウジング１０との間の接触面積を増加させ、カップリング部材３００が支持される面積を大きくすることに加え、横方向（第２方向）にもカップリング部材３００を支持してカップリング部材３００が構造的により安定的に納まるようにする。
【００４６】
図４に示すように、第１延長部３１０と第２延長部３２０の両方が横支持部（３１７、３２７）を含む場合、第１横支持部３１７と第２横支持部３２７は、互いに反対方向に延長される。このように、第１及び第２横支持部（３１７、３２７）が反対方向に延長されるようにすることで、組み立て時に締結部３７０を適用する作業がより手軽になる。
【００４７】
一方、ハウジング１０には、第１横支持部３１７を使用するように形成された収容空間１３０が形成される。図４の（ｃ）を参照すると、開口部１０５に該当する部分でハウジング１０の一側にポスト１５０が内側に突出し、ポスト１５０の上部には、第１横支持部３１７と、これに適用される締結部３７０が位置する収容空間１３０が形成される。即ち、ポスト１５０は、開口部１０５の部分でハウジング１０の下面から第１方向に延長され、ハウジング１０の上面に届かない位置まで延長されて収容空間１３０を形成する。図４の（ｃ）は、ハウジング１０を省略して空洞（１０１、１０２）のみを表現した図面であって、ポスト１５０が空き空間として描かれているが、実際に具現された形態では、ポスト１５０がハウジング１０の材質で詰められ、中間が空いている。
【００４８】
収容空間１３０の高さ、即ちポスト１５０の上面からカバー５０の下面までの高さは収容空間１３０に収容される第１横支持部３１７の厚さと、第１横支持部３１７をポスト１５０の上面に固定させるための締結部３７０の高さに対応する。収容空間１３０に挿入される第１横支持部３１７を固定させる締結部３７０は、ボルト、リベット、ネジ等の形態で具現される。締結部３７０は、導電性材質で形成されてカップリング部材３００とハウジング１０及び／又はカップリング部材３００とカバー５０との間に電気的な連結が行われるようにする。
【００４９】
このような構成により、カップリング部材３００は、カバー５０自体に結合される代わりに、ポスト１５０の上面に結合され、その後にカバー５０をハウジング１０に結合させながらカバー５０とカップリング部材３００との間の電気的接触が安定的に行われるようにする。勿論、カップリング部材３００の第１横支持部３１７は、収容空間１３０でポスト１５０の上面に装着された状態でカバー５０と結合されるようにすることもできる。即ち、締結部３７０は、カバー５０に形成された穴（図示せず）を通過して第１横支持部３１７を固定させるボルト又はネジ等の形態で構成される。
【００５０】
ハウジング１０に形成される収容空間１３０は、内側に突出するポスト１５０を使用せずに具現されることもある。例えば、収容空間１３０は、ハウジング１０の内壁に形成された収容溝（図示せず）の形で具現される。また、収容空間１３０に挿入される第１横支持部３１７を固定させる締結部３７０もボルト、リベット、ネジ等を利用して多様な大きさ及び形態で具現される。
【００５１】
図４の（ｄ）に示した実施形態の場合、第１横支持部３１７は、ポスト１５０の上部に形成された収容空間１３０内に収容され、第２横支持部３２７は、別途の収容空間内に収容されないままハウジング１０の下面に結合される。これは、カバー５０が結合される部分であるハウジング１０の上部ではカップリング部材３００の結合が容易でないことがあるが、ハウジング１０の下部ではカップリング部材３００の結合が難しくないためである。
【００５２】
勿論、ハウジング１０に第２横支持部３２７のための収容空間も備えることができる。例えば、開口部１０５の部分で内側に突出するポスト１５０をハウジング１０の両側に形成し、一側のポスト１５０は、ハウジング１０の下面から上面に届かない位置まで延長するようにし、他側のポストは、ハウジング１０の上面から下面に届かない位置まで延長するようにした後、第１横支持部３１７を一側の収容空間１３０に、第２横支持部３２７を他側の収容空間に収容する。
【００５３】
また、他の例として、開口部１０５の部分で内側に突出するポスト１５０の上部及び下部の両方に収容空間を備えるようにし、第１横支持部３１７と第２横支持部３２７が同じ方向に延長するようにして、ポスト１５０の上部及び下部に形成された収容空間に収容されるようにする。この場合、ポスト１５０の下部の収容空間に挿入された第２横支持部３２７を固定する締結部３７０は、ハウジング１０の下面に形成された穴（図示せず）を通過して第１横支持部３１７を固定させるボルト又はネジ等の形態で構成される。
【００５４】
締結部３７０は、カップリング部材３００の第１横支持部３１７又は第２横支持部３２７を固定させて、カップリング部材３００とハウジング１０との間の電気的接続を維持する限り、特定の形状に限定されない。締結部３７０は、図４に示すように、別の構成要素であるか、又はカップリング部材３００の一部である。
【００５５】
締結部３７０を通じて、第１横支持部３１７及び第２横支持部３２７のうちの少なくとも一つは、第１方向に対してハウジング１０の一側又は他側に結合される。他の例として、第１横支持部３１７及び第２横支持部３２７のうちの少なくとも一つが第２方向に対してハウジング１０の一側又は他側に結合される。カップリング部材３００がハウジング１０に結合される位置に応じてカップリング部材３００の端部がハウジング１０の内面と平行するように折曲される。
【００５６】
一方、上述したように、第１横支持部３１７と第２横支持部３２７が第２方向を基準に異なる位置で結合されることがカップリング部材３００の組み立てをより容易にする。
【００５７】
図示していない本発明の一実施形態では、カップリング部材３００が第１及び第２横支持部（３１７、３２７）のうちの少なくとも一つを含まないことがある。例えば、カップリング部材３００の一端が収容空間１３０内に収容されるように、第１横支持部３１７のみを含み、カップリング部材３００の他端は、第２縦支持部３２５が直にハウジング１０の下面に結合される。
【００５８】
カップリング部材３００が第１横支持部３１７を含まない場合も可能であり、例えば、ハウジング１０の開放された面で開口部１０５に対応する位置にビーム（ｂｅａｍ）のような構造が備えられて開口部１０５の上側部分もハウジング１０自体により完全に定義され、カップリング部材３００の第１縦支持部３１５が該当ビーム（図示せず）と結合される。
【００５９】
また、図示していない本発明の一実施形態では、カップリング部材３００が第１及び第２縦支持部（３１５、３２５）のうちの少なくとも一つを含まないことがある。即ち、第１延長部３１０は、第１共振器２０１と平行に延長される部分の末端から直に第１横支持部３１７につながり、同様に第２延長部３２０は、第２共振器２０２と平行に延長される部分の末端から直に第２横支持部３２７につながる。
【００６０】
上述した本実施形態によると、クロスカップリングが要求される二つの隣接する空洞（１０１、１０２）内の各共振器（２０１、２０２）間にカップリング部材３００を備えることにより、共振器（２０１、２０２）間に大きな容量性クロスカップリングを獲得することができる。このように構成された空洞フィルタは、小さな大きさに製品化しやすく、また希望する程度のクロスカップリングを提供することができる。
【００６１】
特に、ハウジング１０にカバー５０が装着されるようにハウジング１０の一面が開放された構造を有して、空洞フィルタの製作及び組み立てを容易にしながらも、カップリング部材３００が構造的及び電気的に安定するように装着されるようにし、高い信頼性を維持することができるという利点が提供される。
【００６２】
図５は、図４に示した空洞フィルタにおけるＨ−フィールドの分布を概念的に示す図であり、図６は、本発明の一実施形態による空洞フィルタによって具現されたＢＰＦ特性を示すグラフであり、実線は伝送特性、破線は反射特性である。
【００６３】
図５を参照すると、Ｈ−フィールドが予測した方向にカップリングされることが分かる。各々の共振器で誘導された電流の方向が互いに対して反対であるため、負性カップリングが獲得されることを確認できる。図６を参照すると、本発明の空洞フィルタにおいて、容量性クロスカップリングによって伝送零点が通過帯域の下側に非常に近接して具現されることが分かる。
【００６４】
以上、本発明の実施形態について図面を参照しながら詳細に説明したが、本発明は、上述の実施形態に限定されるものではなく、本発明の技術的範囲から逸脱しない範囲内で多様に変更実施することが可能である。
【符号の説明】
【００６５】
１０    ハウジング
５０    カバー
５５    チューニングボルト
５７    加圧部材
１００    空洞
１０１    第１空洞
１０２    第２空洞
１０５    開口部
１３０    収容空間
１５０    ポスト
２００    共振器
２０１    第１共振器
２０２    第２共振器
３００    カップリング部材
３１０    第１延長部
３１５    第１縦支持部
３１７    第１横支持部
３２０    第２延長部
３２５    第２縦支持部
３２７    第２横支持部
３５０    中間支持部
３７０    締結部
【図１】
0006291699.tif 000002
【図２】
0006291699.tif 000003
【図３】
0006291699.tif 000004
【図４】
0006291699.tif 000005
【図５】
0006291699.tif 000006
【図６】
0006291699.tif 000007